(57)【特許請求の範囲】
【請求項１】
単位浮桟橋を複数個１列に連結し、両端を両岸にそれぞれ係留した浮歩道橋において、
浮歩道橋の延べ長さを係留地点間の距離より所定長さ長くし、単位浮桟橋を、上面に床板を有する枠体を複数個の浮体により水上に支持した単位浮桟橋とし、単位浮桟橋間の連結金具を枠体端面に平行な水平軸と垂直軸を有する１組の連結金具とし水平面内で所定角度回動自在とするとともに、中間の単位浮桟橋を、枠体の中間部をＵ字状に水中に曲折し、
該曲折部の床板支持枠を山形状に曲折して通船口が形成された通船用浮桟橋としたことを特徴とする浮歩道橋。
【請求項２】
単位浮桟橋を複数個１列に連結し、両端を両岸にそれぞれ係留した浮歩道橋において、浮歩道橋の延べ長さを係留地点間の距離より所定長さ長くし、単位浮桟橋を、上面に床板を有する枠体を複数個の浮体により水上に支持した単位浮桟橋とし、単位浮桟橋間の連結金具を枠体端面に平行な水平軸と垂直軸を有する１組の連結金具とし水平面内で所定角度回動自在とするとともに、岸近くの単位浮桟橋に浮体より下方に位置する自在車を支持する支持枠を設けたことを特徴とする浮歩道橋。
【請求項３】
単位浮桟橋を複数個１列に連結し、両端を両岸にそれぞれ係留した浮歩道橋において、
浮歩道橋の延べ長さを係留地点間の距離より所定長さ長くし、単位浮桟橋を、上面に床板を有する枠体を複数個の浮体により水上に支持した単位浮桟橋とし、単位浮桟橋間の連結金具を枠体端面に平行な水平軸と垂直軸を有する１組の連結金具とし水平面内で所定角度回動自在とするとともに、浮歩道橋の一側に水上から水中に垂下した網を張設して網場を形成し、さらに、単位浮桟橋の網場支持部端部に、浮体により水上に支持した網上縁取付杆の一端を回動自在に軸支し、該杆の他端を隣接単位浮桟橋より支持した前記同様の網上緑支持杆の一端と回動自在に軸支し、網場を連設するようにしたことを特徴とする浮歩道橋。
【発明の詳細な説明】
【０００１】
【産業上の利用分野】
ダムの貯水池、湖、池、河川等景勝地の公園化がはかられている。しかもこれらのダム貯水池等は水位変動が大きい所が多い。これらの観光施設の一環としてダム湖や河にかけ渡す浮歩道橋に関する。
【０００２】
【従来の技術】
この様なダム湖や河川、池等に波り橋を設置するのに、橋脚等により建設すれば多くの工事費が必要である。また浮桟橋を多数連結して対岸に渡す場合、単位浮桟橋毎に、係留枕で固定するか、水底の沈錘に係留索で単位浮桟橋毎に係留していた。
【０００３】
【発明が解決しようとする課題】
しかし、ダム湖や池、河川等は水位変動が大きく、しかもそれがしばしば起っている。
従来の固定橋や浮桟橋では水位変動や水流に対しては弱いという欠点があった。
本発明は単位浮桟橋を多数連結して浮歩道橋とし、両端を両岸に係留し、風や水流の外力に対しては水面上を弓なりに湾曲して外力は両岸の係留装置に伝え、水位の上下に対しては単位浮桟橋間の角度変化と浮歩道橋延べ長さの余長で対応でき、さらに、容易に網場も兼用できる浮歩道橋である。
【０００４】
【課題を解決するための手段】
この目的を達成するため、本発明では、単位浮桟橋を複数個1列に連結し、両端を両岸にそれぞれ連結した浮歩道橋とし、浮歩道橋の延べ長さを係留地点間の距離より長くして余長を持たせ、単位浮桟橋を、上面に床板を有する枠体を複数個の浮体により水上に支持した単位浮桟橋とし、単位浮桟橋間の連結金具を枠体端面に平行な水平軸と垂直軸を有する1組の連結金具とし水平面内で所定角度回動自在とするとともに、中間の単位浮桟橋を、枠体の中間部をＵ字状に水中に曲折し、該曲折部の床板支持枠を山形状に曲折して通船口が形成された通船用浮桟橋とする。
【０００５】
また、単位浮桟橋を複数個１列に連結し、両端を両岸にそれぞれ係留した浮歩道橋において、浮歩道橋の延べ長さを係留地点間の距離より所定長さ長くし、単位浮桟橋を、上面に床板を有する枠体を複数個の浮体により水上に支持した単位浮桟橋とし、単位浮桟橋間の連結金具を枠体端面に平行な水平軸と垂直軸を有する１組の連結金具とし水平面内で所定角度回動自在とするとともに、岸近くの単位浮桟橋に浮体より下方に位置する自在車を支持する支持枠を設けるとよい。
【０００６】
また、単位浮桟橋を複数個１列に連結し、両端を両岸にそれぞれ係留した浮歩道橋において、浮歩道橋の延べ長さを係留地点間の距離より所定長さ長くし、単位浮桟橋を、上面に床板を有する枠体を複数個の浮体により水上に支持した単位浮桟橋とし、単位浮桟橋間の連結金具を枠体端面に平行な水平軸と垂直軸を有する１組の連結金具とし水平面内で所定角度回動自在とするとともに、浮歩道橋の一側に水上から水中に垂下した網を張設して網場を形成し、さらに、単位浮桟橋の網場支持部端部に、浮体により水上に支持した網上縁取付杆の一端を回動自在に軸支し、該杆の他端を隣接単位浮桟橋より支持した前記同様の網上縁取付杆の一端と回動自在に軸支し、網場を連設するようにしてもよい。
【０００７】
【作用】
本発明による浮歩道橋では、単位浮桟橋間の連結金具の垂直軸まわりに所定角度まで水面上で単位浮桟橋間で折れ角度がとれ、水流や風等の外力で水面上で弓なりに湾曲し、外力を両岸の係留部に安全に伝える。また連結金具の水平軸により単位浮桟橋間は上下に折れ曲ることができ、水位が下降した場合、各単位浮桟橋が着地しても浮歩道橋の延べ長さの余長で対応でき、係留装置に過大な力が掛らず容易に対応できる。
【０００８】
そして、請求項１に係る浮歩道橋では、通船用浮桟橋となっているので、浮歩道橋を船が容易に横切ることができる。
【０００９】
また、請求項２に係る浮歩道橋では、車輪付としたことにより水位が下降し、浮桟橋が着地し、しかも浮歩道橋が風や水流により弓なりに湾曲し、移動しても自在車により着地面を容易に移動できる。
【００１０】
また、請求項３に係る浮歩道橋では、浮歩道橋の一側に網場が形成されていて網場を兼用することができ、保守、点検も容易な網場となるのみならず、網取付橋が自由に曲折し、浮歩道橋が水面上で弓なりに湾曲しても、張設した網場は損傷なく支持できる。
【００１１】
【実施例】
図1は本発明を実施した浮歩道橋の全体平面図、図２はその正面図である。１は単位浮桟橋、２は岸、３はステージ浮桟橋、４は通船用浮桟橋、５は係留索、６は沈錘である。
【００１２】
図３は単位浮桟橋１の平面図、図４はその正面図である。７は枠体、８は枠体の外枠、
９は根太、１０は床板、１１は浮体１２の取付枠、１３は取付枠１１上に取り付けた踏み板、１４は連結金具、１５は連結金具の水平軸、１６は垂直軸、１７はゴム等の緩衝材、
１８は渡り板で１８ａは固定部、１８ｂは半円形のあおり部で、その連結は蝶番式となっている。隣接する単位浮桟橋は連結金具１４の垂直軸１６を中心に緩衝材１７に接するまで水平面内で自在に回動でき、本実施例では図３の二点鎖線で示すように４５°まで曲りうる。このため、手摺１９の連結部および渡り板１８は図示のように曲折を妨げない構造となっている。
【００１３】
本浮歩道橋を網場として使用する時は、一側に網場用網２０を張設する。本例では網の上緑を取り付けるのに便利なため、取付杆２１を使用しているが、これのみに限られるものではなく、フックに網取付用ロープを係止してもよいことは勿論である。単位浮桟橋の連結部は曲折を妨げないように、浮体２２で水上に支持した網取付杆２３を図示のように軸支している。
【００１４】
図５は図３のＡ−Ａ視図を示す。図４および図５の２点鎖線は、図１、図２において図面符号１ａで示す岸寄りの単位浮桟橋に、水位が下降した時着地する浮桟橋の浮体１２の下方に自在車２４を支持する支持枠２５を設け、着地しても自由に移動できるようにし、
浮歩道橋が容易に弓なりに湾曲できるようになっている。
【００１５】
図６はステージ浮桟橋３の平面図である。隣接する単位浮桟橋との連結金具１４は、所定角度α°回動自在である。床板１０はステージ状に幅広くなり、本実施例では八角形であるが、これのみに限られるものではない。８は枠体の外枠、９は根太、１０は床板、１２は浮体、２１、２３は網の取付杆である。
【００１６】
図７は通船用浮桟橋４の平面図、図８はその正面図である。２６は水中枠、２７は山形状床板支持枠、２８は階段、１９は手摺、１２は浮体、２９は浮体２２を有する通船ゲート、３０は通船口である。浮桟橋の一側には網取付杆２１が取付けられている。網場兼用でない場合、網を取付けたゲート２９は不要で、通船口３０を開放状態にしてよい。
【００１７】
図９は連結金具１４の平面図、図１０はその正面図である。１５は水平軸、１６は垂直軸である。
【００１８】
【発明の効果】
本発明の浮歩道橋を用いれば、浮歩道橋の両端を岸に係留するだけで、浮歩道橋を係留でき、風や水流があっても浮歩道橋は弓なりに湾曲して外力を係留装置に伝えることができ、安全に係留することができる。また水位が下降し、単位浮桟橋のほとんどが着地しても浮歩道橋の延べ長さの余長で対応でき係留装置に過大な力がかからず安全である。
【００１９】
そして、請求項１記載の浮歩道橋では、浮歩道橋が張設された水域でも自由に船が通行でき、網場を兼用した場合でも網場の効果を無くさず、船を通すことができる。
【００２０】
請求項２記載の浮歩道橋では、水位変動で単位浮桟橋が着地しても浮歩道橋は水流風等で容易に移動でき、弓状に湾曲して係留でき、損傷の恐れはない。
【００２１】
請求項３記載の浮歩道橋では、網場を兼用することができるから、保守、点検も極めて容易な網場兼浮歩道橋となるのみならず、網場を兼用した場合、浮歩道橋が弓状に湾曲して係留されても網場に無理がかからず、破損の恐れはない。
【図面の簡単な説明】
【図１】本発明を実施した浮歩道橋の全体平面図。
【図２】図1の正面図。
【図３】単位浮桟橋の平面図。
【図４】図３の正面図。
【図５】図３のＡ−Ａ視図。
【図６】ステージ浮桟橋の平面図。
【図７】通船用浮桟橋の平面図。
【図８】図７の正面図。
【図９】連結金具の平面図。
【図１０】図９の正面図。
【符号の説明】
１  単位浮桟橋
２  岸
３  ステージ浮桟橋
４  通船用浮桟橋
５  係留索
７  枠体
１０  床板
１２  浮体
１４  連結金具
１５  水平軸
１６  垂直軸
１８  渡り板
２０  網
２１  網取付杆
２２  浮体
２３  網取付杆
２４  自在車
２５  支持枠
２６  水中枠
２７  山形状床板支持枠
２８  階段
２９  通船ゲート
３０  通船口
【図１】
0003539750.tif 000002
【図２】
0003539750.tif 000003
【図３】
0003539750.tif 000004
【図４】
0003539750.tif 000005
【図５】
0003539750.tif 000006
【図６】
0003539750.tif 000007
【図７】
0003539750.tif 000008
【図８】
0003539750.tif 000009
【図９】
0003539750.tif 000010
【図１０】
0003539750.tif 000011